(57)【要約】【課題】歩きスマホなどの危険行為を誘発しない携帯端末を提供する。【解決手段】受信部１１が、音声信号に重畳された音響透かし信号を受信して記憶部１４に保存し、判定部１２が、端末利用者が歩行中であるか否かを判定し、表示部１３は、端末利用者が歩行中である場合は、音響透かし信号に含まれるデータの表示を制限し、端末利用者が止まっている場合は、音響透かし信号に含まれるデータを表示する。また、音響透かし信号の受信位置に基づいてデータをエリアで分類し、エリア毎に簡易情報を一覧表示する。【選択図】図１
2019146068.tif 000002
【特許請求の範囲】
【請求項１】
信号を受信する受信部と、
前記信号を受信したときに、利用者が歩行中であるか否かを判定する判定部と、
前記判定部が前記利用者は歩行中であると判定した場合は、前記信号に含まれる情報の表示を制限し、前記判定部が前記利用者は歩行中ではないと判定した場合は、前記信号に含まれる情報を表示する表示部と、
を備えることを特徴とする情報表示装置。
【請求項２】
前記信号は、音声信号の所定の周波数帯域に重畳された変調信号であることを特徴とする請求項１に記載の情報表示装置。
【請求項３】
前記表示部は、前記信号を受信した位置に基づいて前記信号をエリアに分類し、所定のエリア内で受信した前記信号に含まれる情報の一覧を表示することを特徴とする請求項１又は２に記載の情報表示装置。
【請求項４】
受信部による、信号を受信するステップと、
判定部による、前記信号を受信したときに、利用者が歩行中であるか否かを判定するステップと、
表示部による、前記判定部が前記利用者は歩行中であると判定した場合は、前記信号に含まれる情報の表示を制限し、前記判定部が前記利用者は歩行中ではないと判定した場合は、前記信号に含まれる情報を表示するステップと、
を有することを特徴とする情報表示方法。
【発明の詳細な説明】
【技術分野】
【０００１】
本発明は、携帯端末で情報を受信して表示する技術に関する。
【背景技術】
【０００２】
音声信号に音響透かし信号を重畳し、音声とともにデータを送信する技術が知られている。スマートフォンなどの携帯端末を用い、携帯端末のマイクで音声信号を受信し、音声信号に重畳された音響透かし信号を復調することで、データを表示できる。例えば、駅構内の日本語のアナウンス放送に、アナウンスの内容を多言語に翻訳した文字データを重畳することで、訪日客などにアナウンスの内容を知らせることができる。
【０００３】
特許文献１−５には、いわゆる歩きスマホに対処する技術が記載されている。
【先行技術文献】
【特許文献】
【０００４】
【特許文献１】特開２０１５−０８８８６０号公報
【特許文献２】特開２０１６−０１９１７４号公報
【特許文献３】特開２０１６−１５７１７８号公報
【特許文献４】特開２０１７−０７３７１１号公報
【特許文献５】特開２０１７−２０００５３号公報
【発明の概要】
【発明が解決しようとする課題】
【０００５】
携帯端末が音響透かし信号を受信した場合、ユーザが歩行中であっても携帯端末に受信した情報を表示するため、歩きスマホなどの危険行為を誘発するという問題があった。
【０００６】
本発明は、上記に鑑みてなされたものであり、歩きスマホなどの危険行為を誘発しない携帯端末を提供することを目的とする。
【課題を解決するための手段】
【０００７】
第１の本発明に係る情報表示装置は、信号を受信する受信部と、前記信号を受信したときに、利用者が歩行中であるか否かを判定する判定部と、前記判定部が前記利用者は歩行中であると判定した場合は、前記信号に含まれる情報の表示を制限し、前記判定部が前記利用者は歩行中ではないと判定した場合は、前記信号に含まれる情報を表示する表示部と、を備えることを特徴とする。
【０００８】
第２の本発明に係る情報表示方法は、受信部による、信号を受信するステップと、判定部による、前記信号を受信したときに、利用者が歩行中であるか否かを判定するステップと、表示部による、前記判定部が前記利用者は歩行中であると判定した場合は、前記信号に含まれる情報の表示を制限し、前記判定部が前記利用者は歩行中ではないと判定した場合は、前記信号に含まれる情報を表示するステップと、を有することを特徴とする。
【発明の効果】
【０００９】
本発明によれば、歩きスマホなどの危険行為を誘発しない携帯端末を提供することができる。
【図面の簡単な説明】
【００１０】
【図１】本実施形態の情報表示装置の構成を示す機能ブロック図である。
【図２】本実施形態の情報表示装置の処理の流れを示すフローチャートである。
【図３】受信したデータの簡易情報を一覧で表示した一覧表示画面の一例である。
【図４】受信したデータの詳細を表示する詳細表示画面の一例である。
【発明を実施するための形態】
【００１１】
以下、本発明の実施の形態について図面を用いて説明する。
【００１２】
図１を参照し、本実施形態の情報表示装置１の構成について説明する。
【００１３】
本実施形態の情報表示装置１は、受信部１１、判定部１２、表示部１３、及び記憶部１４を備える。情報表示装置１が備える各部は、演算処理装置、記憶装置等を備えたコンピュータにより構成して、各部の処理がプログラムによって実行されるものとしてもよい。このプログラムは情報表示装置１が備える記憶装置に記憶されており、磁気ディスク、光ディスク、半導体メモリ等の記録媒体に記録することも、ネットワークを通して提供することも可能である。例えば、スマートフォンにアプリケーションを実行させて、情報表示装置１として機能させてもよい。
【００１４】
受信部１１は、マイクにより入力した音声信号に重畳された音響透かし信号を復調してデータを受信し、受信したデータを記憶部１４に記録するとともに、データを受信したことを判定部１２に通知する。音響透かし信号は、送信するデータに基づいて変調された変調信号であり、音声信号の高周波帯域、例えば非可聴域である１８ｋＨｚ〜２０ｋＨｚに重畳される。音響透かし信号は、音声信号の高周波帯域であれば、可聴域に重畳されてもよい。
【００１５】
記憶部１４は、受信部１１の受信したデータとともに、データを受信した日時を示す日時情報やデータを受信した場所を示す場所情報を記憶する。日時情報及び場所情報は、情報表示装置１の有する時計機能や位置情報機能により取得できる。
【００１６】
判定部１２は、受信部１１がデータを受信したとき、情報表示装置１を保持する端末利用者が歩行中であるか否かを判定する。端末利用者が歩行中であるか否かは、情報表示装置１の位置情報機能やモーションセンサなどを用いて判定できる。
【００１７】
表示部１３は、判定部１２の判定した端末利用者の状況に応じて、受信したデータの表示形態を変更する。具体的には、表示部１３は、端末利用者が歩行中の場合は受信したデータを非表示とし、端末利用者が立ち止まっている場合は受信したデータを表示する。
【００１８】
図２を参照し、本実施形態の情報表示装置１の処理の流れについて説明する。端末利用者が情報表示装置１を保持して、歩いたり、立ち止まったりしながら、情報表示装置１の受信したデータを確認する場合を想定する。
【００１９】
情報表示装置１が音声信号に重畳された音響透かし信号を検出すると、図２に示す処理が実行される。
【００２０】
受信部１１は、音響透かし信号を受信すると、信号受信音を発生する（ステップＳ１１）。信号受信音が鳴らないように設定できてもよい。
【００２１】
受信部１１は、音響透かし信号を復調してデータを取得し、受信番号、受信したデータ、日時情報、及び場所情報を記憶部１４に保存する（ステップＳ１２）。受信番号は、記憶部１４に保存したデータに付与する通し番号である。受信部１１は、音響透かし信号を受信すると受信番号をインクリメントする。
【００２２】
判定部１２は、端末利用者が歩行中であるか否か判定する（ステップＳ１３）。
【００２３】
端末利用者が歩行中である場合（ステップＳ１３のＹＥＳ）、表示部１３は、受信したデータを表示しない（ステップＳ１４）。このとき、表示部１３は、表示画面の全体を非表示としてもよいし、受信したデータのみを非表示としてもよい。あるいは、データを非表示にしたうえで、データを受信したことを知らせる表示をしてもよい。データの受信件数を表示してもよいし、立ち止まらないとデータを表示できないという警告文を表示してもよい。受信したデータの詳細を表示しない形態であれば、どのような表示であってもよい。
【００２４】
端末利用者が立ち止まっている場合（ステップＳ１３のＮＯ）、表示部１３は、記憶部１４からデータを読み出して表示する（ステップＳ１５）。受信したデータに識別情報が含まれている場合は、識別情報に対応するデータを、無線通信を介して受信し、表示してもよい。データの表示方法については後述する。
【００２５】
情報表示装置１の電源をオフにした場合、スリープモードにした場合、あるいは携帯端末を本情報表示装置１として機能させているアプリケーションを終了した場合、情報表示装置１は処理を終了する（ステップＳ１６のＹＥＳ）。記憶部１４に保存した全てのデータが閲覧済になったとき、あるいは全てのデータを削除したときも、情報表示装置１は処理を終了し、新たなデータの受信を待機してもよい。
【００２６】
処理を終了しない場合は（ステップＳ１６のＮＯ）、ステップＳ１３に戻り、ステップＳ１３〜Ｓ１５の処理を繰り返す。ステップＳ１３〜Ｓ１５の処理を繰り返す際、端末利用者が立ち止まったと判定された場合は、データを表示し、データを閲覧中の端末利用者が歩き始めたと判定された場合は、表示していたデータを非表示にする。なお、判定部１２と表示部１３がステップＳ１３〜Ｓ１５の処理を繰り返している間に、受信部１１が新たなデータを受信したときは、ステップＳ１１，Ｓ１２の処理が実行される。
【００２７】
図３，４を参照し、情報表示装置１によるデータの表示例について説明する。
【００２８】
図３に示す一覧表示画面のように、表示部１３は、受信したデータの簡易情報の一覧を時系列順に表示する。同図の例では、受信時間と音響透かし信号番号（受信番号）を表示している。一覧として表示する項目を設定できるようにしてもよい。例えば、一覧に表示する項目として、現在位置から受信位置までの距離を表示してもよい。
【００２９】
端末利用者が一覧の中からいずれかのデータを選択すると、図４に示す詳細表示画面のように、選択されたデータの詳細が表示される。同図に示す詳細表示画面では、テキスト文と画像を表示している。さらに、データを受信した受信位置を示す地図を表示し、現在位置から受信位置までのルートの表示や受信位置までのナビゲートを実行してもよい。詳細表示画面において、端末利用者が上下又は左右にスワイプ操作すると、次のデータの詳細を表示してもよい。
【００３０】
詳細表示画面に削除ボタン及び保存ボタンを配置し、端末利用者がデータの削除・保存を行えるようにしてもよい。削除ボタン又は保存ボタンが選択されると、一覧表示画面に戻る。一覧表示画面に戻ったとき、既に閲覧したデータは、一覧に表示しなくてもよい。
【００３１】
詳細表示画面を表示中に、判定部１２が端末利用者の歩行を検出すると、表示部１３は、警告を表示し、表示中のデータを非表示とする。例えば、詳細表示画面の表示中に端末利用者が歩き始めると、表示は一覧表示画面に遷移する。このとき詳細表示画面において表示していたデータは未読として扱われる。端末利用者が歩行中の場合、表示部１３は一覧表示画面を表示するが、データの選択を受け付けず、詳細表示画面に遷移しない。あるいは、端末利用者が歩行中の場合、表示部１３は、一覧表示画面も表示せずに、警告画面を表示してもよい。
【００３２】
続いて、表示形態の変形例について説明する。
【００３３】
図３の一覧表示画面では、時系列で簡易情報の一覧を表示したが、受信位置に基づいてデータをエリアで分類し、エリア毎に簡易情報を一覧表示してもよい。例えば、端末利用者が一覧表示させたいエリアを指定してもよいし、現在位置の属するエリア内で受信したデータのみを一覧表示してもよい。現在位置から受信位置までの距離の順に一覧表示してもよい。音響透かし信号に含まれるデータは、音響透かし信号が重畳された音声信号の聞こえる範囲において有用な情報であることが多い。そのため、音響透かし信号の受信位置に基づいてデータをエリアで分類することで、端末利用者の必要とする情報を簡単に選択・閲覧することが可能となる。
【００３４】
記憶部１４に保存されているデータが１件のみの場合、あるいは未読のデータが１件のみの場合は、一覧表示画面を表示せずに、そのデータの詳細を表示してもよい。端末利用者が立ち止まっているときに新たなデータを受信した場合も、一覧表示画面を表示せずに、新たなデータの詳細を表示してもよい。
【００３５】
一覧表示画面を用いないで、データの詳細を並べて表示してもよい。端末利用者は、詳細表示画面をスクロールさせて次のデータを表示する。端末利用者が歩行中は警告表示画面を表示し、端末利用者が立ち止まると警告表示画面を詳細表示画面に切り替える。
【００３６】
記憶部１４に保存したデータは、所定の条件を満たした場合に自動的に削除してもよい。以下に、所定の条件の例を示す。受信日時から所定時間経過したデータを削除する。所定の時刻、例えば日付が変わったときにデータを削除する。受信位置と現在位置との距離が所定の距離以上のデータを削除する。端末利用者が自宅に戻ったことを検出したときにデータを削除する。なお、未読のデータは自動削除の対象外としてもよいし、自動削除の対象外とするデータを指定できてもよい。
【００３７】
以上、音響透かし信号に含まれるデータの表示について説明したが、本発明は、信号を受信して信号に含まれるデータを表示するものであれば、ショートメッセージサービスなどのメッセージの受信にも同様に適用できる。
【００３８】
以上説明したように、本実施の形態によれば、受信部１１が、音声信号に重畳された音響透かし信号を受信して記憶部１４に保存し、判定部１２が、端末利用者が歩行中であるか否かを判定し、表示部１３は、端末利用者が歩行中である場合は、音響透かし信号に含まれるデータの表示を制限し、端末利用者が止まっている場合は、音響透かし信号に含まれるデータを表示することにより、端末利用者の歩行中は、データを受信しても表示しないので、歩きスマホなどの危険行為を誘発しない。
【００３９】
本実施の形態によれば、音響透かし信号の受信位置に基づいてデータをエリアで分類し、エリア毎に簡易情報を一覧表示することにより、端末利用者の必要とする情報を簡単に選択・閲覧することが可能となる。
【符号の説明】
【００４０】
１…情報表示装置
１１…受信部
１２…判定部
１３…表示部
１４…記憶部
【図１】
2019146068.tif 000003
【図２】
2019146068.tif 000004
【図３】
2019146068.tif 000005
【図４】
2019146068.tif 000006